(57)【特許請求の範囲】
【請求項１】
肥料ホッパに貯留された粉粒状の肥料を繰出し機構によって繰出して、苗植付け装置に供えた作溝器に供給するよう構成した田植機の施肥装置において、
前記肥料ホッパ内に粉粒状の薬剤を貯留する薬剤ホッパを脱着可能に配備し、この薬剤ホッパの下端出口を前記繰出し機構における繰出しロールの一部に臨設し、繰出しロールの回転によって肥料と薬剤を繰出すよう構成し、
繰出しロールにおける薬剤繰出し部位には、単位回転当たりの繰出し量が異なる複数種のロール部分をロール軸心方向に並列形成するとともに、各ロール部分をシャッタによって独立的に開閉可能に構成し、
前記薬剤ホッパの下端出口を開閉する湾曲自在なスライドシャッタ板を薬剤ホッパの外側面に沿って上下摺動可能に装着してあることを特徴とする田植機の施肥装置。
【請求項２】
請求項１記載の田植機の施肥装置であって、
薬剤用の各ロール部分の外周に繰出し凹部を周方向同ピッチでそれぞれ形成するとともに、各ロール部分における繰出し凹部の周方向での位相を互いにずらしてあることを特徴とする田植機の施肥装置。
【請求項３】
請求項１または２記載の田植機の施肥装置であって、
前記肥料ホッパ内の下部に、肥料塊の流下を阻止する網体を装着するとともに、この網体に切り欠き形成した開口に、前記薬剤ホッパの下部を貫通支持するよう構成してあることを特徴とする田植機の施肥装置。
【発明の詳細な説明】
【０００１】
【発明の属する技術分野】
本発明は、粉粒状の薬剤を肥料とともに圃場に埋設できるよう構成された田植機の施肥装置に関する。
【０００２】
【従来の技術】
上記施肥装置としては、例えば、特開２０００−８３４２７号公報に開示されているように、肥料ホッパに貯留した粉粒状の肥料と、薬剤ホッパに貯留した粉粒状の薬剤を、それぞれ回転式の繰出し機構によって所定量ずつ繰出し、繰出された肥料と薬剤を共通の供給ホースを通して苗植付け装置に向けて風力移送し、各植付け条ごとに備えた作溝器に供給するよう構成したものが知られている。
【０００３】
【発明が解決しようとする課題】
【０００４】
上記施肥装置においては、肥料と薬剤をそれぞれ別個の繰出し機構で繰出す構造が採用されていたために構造が複雑なものとなっていた。また、薬剤ホッパは肥料ホッパ内に装着されるが、薬剤用の繰出し機構が肥料用の繰出し機構の外部に付設されるために、肥料ホッパには薬剤ホッパを貫通させる開口を形成しなければならず、施肥のみを行う場合に、肥料の貯留量を多くするために薬剤ホッパを取外すと、肥料ホッパに形成されている薬剤ホッパ貫通用の開口を閉塞する必要があり、仕様変更が煩わしいものとなっていた。
【０００５】
本発明は、このような点に着目してなされたものであって、施肥装置を利用して簡単に薬剤の繰出し供給をも行えるようにすることを主たる目的とする。
【０００６】
【課題を解決するための手段】
〔請求項１に係る発明の構成、作用、および、効果〕
【０００７】
（構成）  請求項１に係る発明は、肥料ホッパに貯留された粉粒状の肥料を繰出し機構によって繰出して、苗植付け装置に供えた作溝器に供給するよう構成した田植機の施肥装置において、前記肥料ホッパ内に粉粒状の薬剤を貯留する薬剤ホッパを脱着可能に配備し、この薬剤ホッパの下端出口を前記繰出し機構における繰出しロールの一部に臨設し、繰出しロールの回転によって肥料と薬剤を繰出すよう構成し、繰出しロールにおける薬剤繰出し部位には、単位回転当たりの繰出し量が異なる複数種のロール部分をロール軸心方向に並列形成するとともに、各ロール部分をシャッタによって独立的に開閉可能に構成し、
前記薬剤ホッパの下端出口を開閉する湾曲自在なスライドシャッタ板を薬剤ホッパの外面に沿って上下摺動可能に装着してあることを特徴とする。
【０００８】
（作用）  上記構成によると、肥料ホッパ内に薬剤ホッパを装着することで、肥料と薬剤を共通の繰出し機構を用いて繰出すことができ、施肥と施薬を同時に行う仕様が得られる。また、薬剤ホッパを取外すことで、施肥のみを行う仕様に戻すことができる。
【０００９】
肥料の種類、等によって単位面積当たりの施肥量が変更調節されるのに対して、薬剤の単位面積当たりの散布量は一般に一定であることが多く、繰出しロールの単位時間当たりの回転数を変更して施肥量の調節を行うと、同じ繰出しロールを用いる施薬の量が変化してしまうことになる。このような場合には、施薬用の複数のロール部分の使用形態を変更して施薬量の変化を少なくすることができる。例えば、施薬用のロール部分が２種類備えられている場合、繰出しロールの回転速度を速くして施肥量を大量に設定する時に、繰出し量の多いロール部分を閉塞して繰出し量の少ないロール部分だけを利用し、また、繰出しロールの回転速度を落として施肥量を中量に設定する時には、繰出し量の少ないロール部分を閉塞して繰出し量の多いロール部分だけを利用し、また、繰出しロールの回転速度を更に落として施肥量を少量に設定する時には、繰出し量の少ないロール部分および繰出し量の多いロール部分を共に開くことで、繰出しロールの回転速度の変更にかかわらず施薬量の変化を少なくすることができるのである。
【００１０】
（効果）  従って、請求項１の発明によると、施肥と施薬を共通の繰出し機構で行うので、施肥と施薬を別々の繰出し機構で行っている従来構造に比較して繰出し構造が簡単となり、安価に実施することができるとともに、施肥のみの仕様と、施肥と施薬を同時に行う仕様との切換えが簡単なものとなり、実用性に優れたものとなった。
【００１１】
また、繰出し機構が共用でありながら、施肥量変更のために繰出しロールの回転速度が変更されても、施薬用の複数のロール部分の使い分けによって施薬量の変化を抑制でき、使い勝手の優れたものになっている。
（作用）  また、上記構成によると、スライドシャッタ板を操作して薬剤ホッパの下端出口を閉塞した上で薬剤ホッパを取外すことで、残った薬剤をこぼすことなく回収することができる。この場合、湾曲自在なスライドシャッタ板はホッパ外側面に沿って上下摺動可能に装着されているので、スライドシャッタ板の上端を操作することで、薬剤ホッパの下端出口を開閉することができる。
従って、手の届かない薬剤ホッパの下端出口を、ホッパの外側上部における操作で簡単容易に開閉することができ、取扱い性に優れたものとなる。
【００１２】
〔請求項２に係る発明の構成、作用、および、効果〕
【００１３】
（構成）  請求項２に係る発明は、請求項１記載の田植機の施肥装置であって、薬剤用の各ロール部分の外周に繰出し凹部を周方向同ピッチでそれぞれ形成するとともに、各ロール部分における繰出し凹部の周方向での位相を互いにずらしてあることを特徴とする。
【００１４】
（作用）  上記構成によると、施肥量を少なくするために繰出しロールの回転速度が低く設定された場合、施薬量の減少を抑えるために施薬用の複数のロール部分を共に用いて薬剤の繰出しを行うことになるが、この場合、複数のロール部分における繰出し凹部の周方向での位相がずれているので、施薬用の複数のロール部分全体としての繰出し凹部の周方向でのピッチは小さいものとなり、繰出しロールの回転速度が低くても、途切れ時間の短い連続繰出しに近い薬剤繰出しが行われる。
【００１５】
（効果）  従って、請求項２の発明によると、施肥量を少なくするために繰出しロールの回転速度が低く設定された場合でも、連続性に優れた施薬を行うことができ、均等な施薬を行って薬害の発生を未然に回避することができる。
【００１６】
〔請求項３に係る発明の構成、作用、および、効果〕
【００１７】
（構成）  請求項３に係る発明は、請求項１または２記載の田植機の施肥装置であって、前記肥料ホッパ内の下部に、肥料塊の流下を阻止する網体を装着するとともに、この網体に切り欠き形成した開口に、前記薬剤ホッパの下部を貫通支持するよう構成してあることを特徴とする。
【００１８】
（作用）  上記構成によると、薬剤ホッパの下部を網体に貫通支持させることで薬剤ホッパの下端部の位置が安定し、繰出しロールにおける施薬用の繰出しロール部位に薬剤ホッパの下端出口を正しく対向させ、薬剤および肥料を繰出しロールの所定の部位へ正しく流下させることができる。
【００１９】
（効果）  従って、請求項３の発明によると、施肥ホッパ内に配備される施肥用の網体を有効に利用した簡単な構造で、薬剤ホッパにおける下端出口の的確な位置決めを行って、良好な施肥および施薬を行うことが可能となった。
【００２０】
【００２１】
【００２２】
【００２３】
【００２４】
【発明の実施の形態】
図１に、６条植え仕様に構成された施肥装置付き乗用田植機の側面が、また、図２に、この田植機の平面がそれぞれ示されている。この田植機は、操向可能な前輪１および操向不能な後輪２を備えて４輪駆動で走行する走行機体３の後部に、６条植え仕様の苗植付け装置７が、油圧駆動される昇降リンク機構６を介して昇降可能に連結されるとともに、運転座席２７の後部に施肥装置Ａが備えられた基本構造を有している。そして、走行機体の前部にはエンジンＥが搭載され、その出力が前後進の切り換えが可能な静油圧式無段変速装置（ＨＳＴ）５に伝達され、その変速出力がミッションケース４に入力されて更にギヤ変速された後、前輪１と後輪２に伝達されるとともに、ミッションケース４から取出された作業用動力が伝動軸７０を介して苗植付け装置７に伝達されるようになっている。
【００２５】
前記苗植付け装置７には、苗を載置して一定ストロークで往復横移動する苗のせ台１２、この苗のせ台１２の下端から一株分ずつ苗を切り出して植付ける６組の回転式の植付け機構９、圃場の植付け予定箇所を均平にする３個の整地フロート１１、等が装備されており、植付け機構９は、並列配備された３個の植付けケース８の後部左右にそれぞれ２組ずつ装着されている。
【００２６】
次に施肥装置Ａについて説明する。図１〜図７に示すように、この施肥装置Ａは、粉粒状の肥料を貯留する肥料ホッパ１３、この施肥ホッパ１３から肥料を所定量ずつ繰り出す４組の繰出し機構１５、繰出された肥料を苗植付け装置７の整地フロート１１に装着した６個の作溝器５２に導く供給ホース１４、各供給ホース１４に搬送風を送り込む電動ブロワ１６、電動ブロワ１６で発生した搬送風を各施肥ホース１４に分配供給する送風ダクト１７、等から構成されている。また、この施肥装置Ａは、薬剤を貯留した小型の薬剤ホッパ９１を肥料ホッパ１３内に装着することで、施肥と施薬を同時に行えるように構成されている。
【００２７】
図１１，図１９に示すように、繰出し機構１５は２条分がユニットとして構成されており、４組の繰出し機構１５のうちの左右両端のものは２条分の繰出しを行い、中央の２組は後述のように２条分のうちの１条分のみで繰出しを行うことで、２条単位の４組の繰出し機構１５を使用しながら全体としては６条の繰出しを行うようになっている。
【００２８】
各繰出し機構１５は、外周に繰出し凹部ａが周方向に沿って所定ピッチで多数形成された繰出しロールＲが水平横軸心周りに回転可能にロールケース１８内に横架支承された構造となっており、繰出しロールＲの外端に備えた従動ギヤ１９Ｇが、駆動軸２１の駆動ギヤ２１Ｇに咬合連動されて回転駆動されるようになっている。また、繰出しロールＲの外周には摺り切り用ブラシ２２が作用することで繰出し量の安定化が図られている。
【００２９】
繰出しロールＲは、１回転当たりの繰出し量の異なる３種のロール部分ｒ1 〜ｒ3 を１条分として、２組（６個）のロール部分ｒ1 〜ｒ3 が左右対称に並列されて、一端に前記従動ギヤ１９Ｇが設けられた中空状のロール軸１９に一体回転可能に外嵌装着された構造となっている。ここで、１条分３個のロール部分ｒ1 〜ｒ3 の１回転当たりの繰出し量は、最も外側のロール部分ｒ1 が最も多く、最も内側のロール部分ｒ2 が次に多く、中間のロール部分ｒ3 が最も少なく設定されている。そして、図１３に示すように、内側２個のロール部分ｒ2 ，ｒ3 の外周に形成された繰出し凹部ａはそれぞれ同ピッチ（この例の場合６０°）に配置されるとともに、両繰出し凹部ａは互いに半ピッチ（この例の場合３０°）づつ位相がずらされている。
【００３０】
ロールケース１８は、肥料ホッパの下端に連結される上部ケース１８Ａと、これの下端に連結される下部ケース１８Ｂとの上下分割構造に構成されており、下部ケース１８Ｂの下部に一体形成した２条分の出口管１８Ｃの前端が送風ダクト１７にそれぞれ差込み連結されるとともに、各出口管１８Ｃの後端に供給ホース１４が接続されている。また、ロールケース１８の分割面上にロール軸１９の軸心が位置するように繰出しロールＲが軸支され、下部ケース１８Ｂを上部ケース１８Ａから離脱することで、簡単に繰出しロールＲを取り外すことができるようになっている。なお、１条分の繰出しを行う中央２組の繰出し機構１５においては、２条分の出口管１８Ｃの一方のみに供給ホース１４が接続され、繰出し停止する出口管２０の後端はキャップ２０で閉塞される。また、各ロールケース１８には揺動シャッタ７２によって開閉されるとともに排出ホース７３が接続された排出口７１が形成されており、肥料ホッパ１３に残留した肥料を機体下腹部において排出回収できるように構成されている。
【００３１】
上部ケースの下部はロート状に絞り込まれており、この絞り込み部位の内部には、繰出しロールＲにおける各ロール部分ｒ1 〜ｒ3 の外周に摺接する５つの仕切り壁２４が並列形成されるとともに、図１４に示すように、これら仕切り壁２４によって形成された６個の通路がシャッタｓによって独立的に開閉可能となっている。
【００３２】
各シャッタｓは、図１５に示すように、弾性変形可能な薄いステンレス鋼板からなるシャッタ板２６の一端に、棒材からなる取っ手２５を連結して構成されており、ロールケース１８から突出された取っ手２５を押し込むことでシャッタ板２６がケース内面に沿って湾曲変形されながら上方に突き上げ退避されて通路が開放され、取っ手２５を引き出すことで通路がシャッタ板２６で閉塞されるようになっている。
【００３３】
従って、１条分３枚のシャッタｓを選択開閉して、繰出しに利用するロール部分ｒ1 〜ｒ3 を組み合わせ選択することで、繰出し量を５段階に調節することができる。なお、この５段階調節は、図１９に示すように、薬剤ホッパを取り外して施肥のみを行う仕様の場合に利用することができるものであり、施肥と施薬とを同時に行う仕様では、肥料の繰出し量調節は繰出しロールＲの回転速度の変更による。また、１条分の繰出しを行う中央の２組の繰出し機構１５では、片側３枚のシャッタｓをすべて閉じることで１条分を停止することができるとともに、出口管１８Ｃへのキャップ２０の装着によって搬送風の無駄な流出が阻止される。
【００３４】
なお、繰出し量の調節は上記手段の他に、受動アーム３９と押し引きロッド４０との連結位置をアーム長手方向に変更することによっても行うことができる。つまり、受動アーム３９と押し引きロッド４０との連結位置をアーム軸心に近づけるほど、押し引きロッド４０のストロークに対して受動アーム３９の揺動角度が大きくなり、単位時間当たりのロール回転数が多くなり（ロール回転速度が速くなり）、繰出し出し量が多くなる。逆に、受動アーム３９と押し引きロッド４０との連結位置をアーム軸心から遠ざけるほど、押し引きロッド４０のストロークに対して受動アーム３９の揺動角度が小さくなり、単位時間当たりのロール回転数が少なくなり（ロール回転速度が遅くなり）、繰出し出し量が多くなる。
【００３５】
肥料ホッパ１３は、左右端に位置する２条用の大容量ホッパ部１３ａと、内側に位置する一対の１条用小容量ホッパ部１３ｂとを一体形成して成る透視可能な樹脂製のものに構成されている。小容量ホッパ部１３ｂは、その前部が大容量ホッパ部１３ａよりも凹入され、ここに運転座席２７の後部が入り込み配置されている。このように、中央部が凹入した肥料ホッパ１３を導入することで、苗のせ台１２と運転部との間を大きく空けなくてもコンパクトに施肥装置Ａを配備して、機体全長の短縮化が図られているのである。また、肥料ホッパ１３の上端に配備される蓋２８はホッパ横幅全長に亘る一体成形品であり、図７に示すように、後部に設けた支点Ｚ周りに揺動開閉自在に取付けられている。なお、肥料ホッパ１３の後壁には、各ホッパ部１３ａ，１３ｂにおける肥料の残量を検知する光センサ６２が装備されている。
【００３６】
繰出し機構１５の駆動構造について説明する。図４〜図７に示すように、４個の各ロールケース１８の後部に亘って、六角軸からなる１本の駆動軸２１が回転自在に支持されており、この駆動軸２１に前述した駆動ギヤ２１Ｇが相対回転自在に外嵌されている。そして、駆動軸２１と駆動ギヤ２１Ｇとの間に噛合い式の施肥クラッチ３３が介在され、この施肥クラッチ３３を入り切りすることで各繰出し機構１５を独立的にオン・オフ操作することが可能となっている。これら施肥クラッチ３３は運転座席２７の横側付近に位置させて配備した３本の施肥クラッチレバー３２に連係されており、畦際近くでの少数条植えの場合に休止する植付け条に合わせて施肥を休止する場合にクラッチ切り操作されることになる。なお、中央の施肥クラッチレバー３２は１条分ずつの繰出しを行う中央２組の繰出し機構１５における施肥クラッチ３３に連係されており、各施肥クラッチレバー３２で２条づつ施肥を休止することが可能となっている。
【００３７】
図１，図４に示すように、走行機体３の下部には、ミッションケース４から機体後部の後車軸ケース３４に動力伝達する後輪駆動用の伝動軸３５が配置されており、この伝動軸３５から施肥装置Ａに動力分配するための動力取出しケース３６が設けられている。この動力取出しケース３６には、走行系の動力を受けて横軸心周りに回転駆動されるクランクアーム３７が備えられるとともに、このクランクアーム３７と、繰出し機構駆動用の駆動軸２１に備えた受動アーム３９とが、押し引きロッド４０を介して連動連結され、クランクアーム３７の回転に伴って受動アーム３９が往復揺動駆動されるようになっている。このように走行系の動力で施肥装置Ａを駆動することで、走行速度を変更したり、苗植付け装置７での植付けピッチ（株間）を変更しても、単位走行距離当たりの施肥量、つまり、単位面積当たりの施肥量を調節した設定量に維持することができるのである。
【００３８】
図８、図９に示すように、受動アーム３９と駆動軸２１とは一方向駆動機構４１を介して連動連結されており、受動アーム３９の往動および復動のそれぞれで駆動軸２１を一定方向（図においては時計方向）に脈動的に連続回転させるよう構成されている。ここで、一方向駆動機構４１は、受動アーム３９の時計方向揺動のみを駆動軸２１に伝達する第１ワンウェイクラッチ４２と、駆動軸２１に装着した操作アーム４３と、受動アーム３９の揺動を向き反転して操作アーム４３に伝達する反転リンク機構４４と、操作アーム４３の時計方向揺動のみを駆動軸２１に伝達する第２ワンウェイクラッチ４５とから構成されており、受動アーム３９の往動および復動によって駆動軸２１が常に時計方向に回動させて、繰出しロールを所定角度ずつ一定方向（図において反時計方向）に順次回転駆動するように構成されているのである。
【００３９】
次に、肥料ホッパ１３に薬剤ホッパ９１を装着して、施肥と施薬を同時に行う構造について説明する。図７、図１０に示すように、薬剤ホッパ９１は、上端が開放されて下部が絞り込まれた形状に樹脂成形されたホッパ本体９１Ａと、その上端に支点軸９２を介して上下揺動可能に枢着した板金製の蓋９１Ｂとで構成されており、肥料ホッパ１３の後壁上端に引っ掛け装備された取付け金具９３の支持アーム９３ａに前記支点軸９２を係止することで、４個の肥料ホッパ９１が、肥料ホッパ１３における２つの大容量ホッパ部１３ａと２つの小容量ホッパ部１３ｂの内部にそれぞれ吊下げ支持されるようになっている。
【００４０】
ホッパ本体９１Ａにおける前面上端の左右中央には突出部９４が一体形成されるとともに、蓋９１Ｂの前端には弾性変形可能なロック片９５が連設されており、蓋９１Ｂを閉じることでロック片９５が突出部９４に弾性係合されて、閉蓋状態が保持されるようになっている。
【００４１】
図１６に示すように、ホッパ本体９１Ａの下部は横幅小さく絞り込まれており、この絞り込み部９１Ｃの下端に、左右一対の薬剤流下用の出口９０が形成されるとともに、この下端出口９０を開閉するスライドシャッタ板９６が、ホッパ本体９１Ａの前部外面に沿って配備されている。スライドシャッタ板９６は、弾性変形し易い薄いステンレス鋼板からなり、その上端に棒材を屈曲したなる取っ手９７が連結された構造となっている。そして、ホッパ本体９１Ａの前面に形成した凹溝ｍに沿って上下スライド可能に案内されるとともに、ホッパ本体９１Ａの前面に配備固定された金属板からなるガイド板９８によって前面外側からも案内されて、円滑に上下スライドされるよになっている。スライドシャッタ板９６は湾曲変形されて絞り込み部９１Ｃの下端前面からホッパ内に挿入されて、前記下端出口９０を開閉するよう構成されている。
【００４２】
ガイド板９８は、これとホッパ前壁との間に取っ手９７を挟んだ状態で上下２本のビス９９によって薬剤ホッパ９１に取付け固定してあり、これらビス９９は、取っ手１９７を上下方向に案内するガイド部材としても機能するようになっている。
【００４３】
ホッパ本体９１Ａにおける絞り込み部９１Ｃの下端には、ゴム製のブーツ１００が外嵌装着されるとともに、ブーツ１００の下部が前記繰出し機構１５における仕切り壁２５に嵌合され、下端出口９０から流下した薬剤が繰出しロールＲにおける中央側の４個のロール部分ｒ2 ，ｒ3 に案内供給されるようになっている。つまり、薬剤ホッパ９１に形成された左右一対の下端出口９０のそれぞれから１条分の薬剤が流下して中央側の２個のロール部分ｒ2 ，ｒ3 によって繰出され、外側のロール部分ｒ1 によって繰出された肥料と混合されて出口管１８Ｃに導かれるようになっているのである。なお、１条分ずつの繰出しを行う中央の２組の繰出し機構１５においては、図１２に示すように、薬剤ホッパ９１に形成された左右一対の下端出口９０の一方はブーツ１００によって閉塞することで、１条分の薬剤繰出しが行われる。
【００４４】
このように肥料と薬剤とを共通の繰出しロールＲによって繰出す仕様では、肥料の繰出し量の変更は、繰出しロールＲの回転速度変更によることになる。この場合、肥料の種類、等によって単位面積当たりの施肥量が変更調節されるのに対して、薬剤の単位面積当たりの散布量は一般に一定であることが多く、繰出しロールの単位時間当たりの回転数を変更して施肥量の調節を行うと、同じ繰出しロールを用いる施薬の量が変化してしまうことになる。このような場合には、薬剤繰出しに使用する２個のロール部分ｒ2 ，ｒ3 の使用形態を変更して施薬量の変化を少なくすることができる。
【００４５】
例えば、ロール回転速度を速くして施肥量を大量に設定する時に、繰出し量の多いロール部分ｒ2 をシャッタｓで閉塞して繰出し量の少ないロール部分ｒ3 だけを利用し、また、ロール回転速度を落として施肥量を中量に設定する時には、繰出し量の少ないロール部分ｒ3 を閉塞して繰出し量の多いロール部分ｒ2 だけを利用し、また、ロール回転速度を更に落として施肥量を少量に設定する時には、繰出し量の多いロール部分ｒ2 および繰出し量の少ないロール部分ｒ3 を共に開くことで、繰出しロールＲの回転速度の変更にかかわらず薬剤繰出し量が大きく変化するのを抑制することができるのである。
【００４６】
肥料ホッパ１３内の下部には、湿気を吸収して固まった肥料塊が繰出し機構１５に流下するのを阻止するとともに、ブリッジ現象によって肥料の流下が妨げられるのを防止するために、樹脂成形された目の粗い網体５５が、係止爪５６を介して水平に嵌着されている。この網体５５は、図１９に示すように、薬剤ホッパ９１を取り外して施肥のみを行う場合には、図２０に示すように、全面が格子状に形成されたものが用いられるが、薬剤ホッパ９１を取付けて施肥と施薬とを同時に行う仕様では、図１８に示すように、薬剤ホッパ９１の絞り込み部９１Ｃを貫通させる大きい開口５７を備えた網体５５に交換される。ここで網体５５の開口５７は、薬剤ホッパ９１の絞り込み部９１Ｃを嵌合して左右に位置決めする大きさに設定されており、装着された薬剤ホッパ９１の姿勢が安定保持されるようになっている。
【００４７】
なお、近年は食味の優れた米づくりを実施するために有機肥料の使用が見直されており、なたね油粕などを利用したペレット状の肥料が利用されている。この有機肥料は一般的な化学肥料に比べて粒度が大きいものであり、旧来の繰出し機構では詰まりが発生しやすく、円滑かつ安定した繰出しが困難になることが予想される。そこで、このようなペレット状の有機肥料を使用する時は、図２１に示すように、１条分の中での前記仕切り壁２４を取り除いたロールケース１８に取り替えるとともに、繰出しロールＲ自体も、１条分が一連となった横長の繰出し凹部ａを備えたロール部分ｒ4 を一対（２条分）備えたものに取り替えるとよい。
【図面の簡単な説明】
【図１】乗用型田植機の全体側面図
【図２】乗用型田植機の全体平面図
【図３】肥料ホッパの横断平面図
【図４】施肥装置の背面図
【図５】施肥装置の正面図
【図６】施肥装置の側面図
【図７】施肥装置の一部を切欠いた側面図
【図８】繰出し機構の駆動構造を示す側面図
【図９】繰出し機構の駆動構造を示す横断平面図
【図１０】繰出し機構の縦断側面図
【図１１】２条分の繰出し部位を示す縦断正面図
【図１２】１条分の繰出し部位を示す縦断正面図
【図１３】繰出しロールの一部を示す側面図
【図１４】ロールケースにおけるシャッタ開閉部位の平面図
【図１５】シャッタ単体の斜視図
【図１６】薬剤ホッパおよびその装着構造を示す分解斜視図
【図１７】薬剤ホッパの下端部を示す縦断側面図
【図１８】施肥および施薬同時処理仕様で用いられる網体の平面図
【図１９】施肥のみを行う仕様に設定された２条分の繰出し部位を示す縦断正面図
【図２０】施肥仕様で用いられる網体の平面図
【図２１】有機肥料を対象とした仕様に改造された繰出し部位を示す縦断正面図
【符号の説明】
７            苗植付け装置
１３          肥料ホッパ
１５          繰出し機構
５２          作溝器
５５          網体
５７          開口
９０          下端出口
９６          スライドシャッタ板
ａ            繰出し凹部
Ｒ            繰出しロール
ｒ2           ロール部分
ｒ3           ロール部分
ｓ            シャッタ
【図１】
0003585447.tif 000002
【図２】
0003585447.tif 000003
【図３】
0003585447.tif 000004
【図４】
0003585447.tif 000005
【図５】
0003585447.tif 000006
【図６】
0003585447.tif 000007
【図７】
0003585447.tif 000008
【図８】
0003585447.tif 000009
【図９】
0003585447.tif 000010
【図１０】
0003585447.tif 000011
【図１１】
0003585447.tif 000012
【図１２】
0003585447.tif 000013
【図１３】
0003585447.tif 000014
【図１４】
0003585447.tif 000015
【図１５】
0003585447.tif 000016
【図１６】
0003585447.tif 000017
【図１７】
0003585447.tif 000018
【図１８】
0003585447.tif 000019
【図１９】
0003585447.tif 000020
【図２０】
0003585447.tif 000021
【図２１】
0003585447.tif 000022